(57)【要約】【課題】扉を開閉することなく、物品を一時的に支えておけるようにする。【解決手段】扉付きキャビネットＡは、内部が収納空間１４となっているキャビネット本体１０と、キャビネット本体１０に取り付けられ、収納空間１４の開口部１７を開閉する扉１９と、キャビネット本体１０に設けられ、キャビネット本体１０の外部へ水平に引き出すことが可能なトレイ２６（可動支持部材）とを備え、トレイ２６の移動経路が、開口部１７を閉じている状態の扉１９と非干渉の経路である。【選択図】図１
2019176916.tif 000002
【特許請求の範囲】
【請求項１】
内部が収納空間となっているキャビネット本体と、
前記キャビネット本体に取り付けられ、前記収納空間の開口部を開閉する扉と、
前記キャビネット本体に設けられ、前記キャビネット本体の外部へ水平に引き出すことが可能な可動支持部材とを備え、
前記可動支持部材の移動経路が、前記開口部を閉じている状態の前記扉と非干渉の経路であることを特徴とする扉付きキャビネット。
【請求項２】
前記扉が前方へ変位することによって開くようになっており、
前記可動支持部材が前記扉の前方へ引き出されるようになっており、
前記キャビネット本体又は前記可動支持部材に、前記可動支持部材が引き出された状態で前記扉の開き方向への変位を規制するストッパが設けられていることを特徴とする請求項１記載の扉付きキャビネット。
【請求項３】
前記ストッパは、前記可動支持部材が前方へ変位する動作と連動して前記扉の開きを規制する形態へ変位するようになっていることを特徴とする請求項２記載の扉付きキャビネット。
【請求項４】
前記収納空間の下端部が、前記キャビネット本体に対して相対的に昇降可能な底板で構成されており、
前記底板に前記可動支持部材がスライド可能に取り付けられていることを特徴とする請求項１ないし請求項３のいずれか１項に記載の扉付きキャビネット。
【発明の詳細な説明】
【技術分野】
【０００１】
本発明は、扉付きキャビネットに関する。
【背景技術】
【０００２】
特許文献１には、キャビネット本体と、キャビネット本体の前面の開口部を開閉する扉とを備えた扉付きキャビネットが開示されている。キャビネット本体内には着脱可能なトレイが収容されている。必要に応じてトレイをキャビネット本体から取り出せば、小物等をトレイに一時的に載せておくことができるので、衛生的である。
【先行技術文献】
【特許文献】
【０００３】
【特許文献１】実開昭６３−１７５４４０号公報
【発明の概要】
【発明が解決しようとする課題】
【０００４】
上記の扉付きキャビネットは、トレイが扉で閉塞されたスペース内に収容されている。そのため、トレイをキャビネット本体から取り出して使用する際には、扉を開けなければならない。また、トレイを使用した後にキャビネット本体内に収納する際には、再び、扉を開けなければならない。
【０００５】
本発明は、上記従来の実情に鑑みてなされたものであって、扉を開閉することなく、物品を一時的に支えておけるようにすることを解決すべき課題としている。
【課題を解決するための手段】
【０００６】
本発明は、
内部が収納空間となっているキャビネット本体と、
前記キャビネット本体に取り付けられ、前記収納空間の開口部を開閉する扉と、
前記キャビネット本体に設けられ、前記キャビネット本体の外部へ水平に引き出すことが可能な可動支持部材とを備え、
前記可動支持部材の移動経路が、前記開口部を閉じている状態の前記扉と非干渉の経路であることを特徴とする。
【発明の効果】
【０００７】
可動支持部材を使用する際には、可動支持部材をキャビネット本体の外部へ水平に引き出せばよい。可動支持部材は、キャビネット本体の外部へ引き出される際に、扉と非干渉の経路で移動する。したがって、扉を閉じた状態のままで可動支持部材を引き出して使用することができる。
【図面の簡単な説明】
【０００８】
【図１】実施例１の扉付きキャビネットにおいて、底板が下降してトレイ（可動支持部材）が引き出された状態をあらわす斜視図
【図２】トレイ（可動支持部材）が底板に格納されている状態をあらわす側面図
【図３】トレイ（可動支持部材）が底板から引き出された状態をあらわす側面図
【図４】トレイ（可動支持部材）が底板から引き出された状態をあらわす拡大斜視図
【図５】実施例２の扉付きキャビネットにおいて、トレイ（可動支持部材）が底板に格納されている状態をあらわす側面図
【図６】トレイ（可動支持部材）が底板から引き出された状態をあらわす側面図
【発明を実施するための形態】
【０００９】
本発明は、前記扉が前方へ変位することによって開くようになっており、前記可動支持部材が前記扉の前方へ引き出されるようになっており、前記キャビネット本体又は前記可動支持部材に、前記可動支持部材が引き出された状態で前記扉の開き方向への変位を規制するストッパが設けられていてもよい。この構成によれば、可動支持部材を前方へ引き出した状態では、扉が開くことがないので、可動支持部材によって支持した物品が扉と干渉する虞はない。
【００１０】
本発明は、前記ストッパは、前記可動支持部材が前方へ変位する動作と連動して前記扉の開きを規制する形態へ変位するようになっていてもよい。この構成によれば、可動支持部材を前方へ引き出した後は、ストッパを変位させるための動作が不要となる。
【００１１】
本発明は、前記収納空間の下端部が、前記キャビネット本体に対して相対的に昇降可能な底板で構成されており、前記底板に前記可動支持部材がスライド可能に取り付けられていてもよい。この構成によれば、可動支持部材の高さを調節することができる。
【００１２】
＜実施例１＞
以下、本発明を具体化した実施例１を図１〜図４を参照して説明する。尚、以下の説明において、前後の方向については、図２，３における左方を前方と定義する。上下の方向については、図１〜４にあらわれる向きを、そのまま上方、下方と定義する。
【００１３】
本実施例１の扉付きキャビネットＡは、洗面化粧台を構成するものであり、洗面ボウル（図示省略）の上方の壁面に固定して設けられている。扉付きキャビネットＡは、キャビネット本体１０と、複数枚（本実施例では３枚）の扉１９と、３つの可動棚２１とを備えて構成されている。
【００１４】
キャビネット本体１０は、背面壁１１と、背面壁１１の上縁部から前方へ突出した上面壁１２と、背面壁１１の左右両縁部から前方へ突出した左右一対の外側面壁１３とを備えている。キャビネット本体１０の内部には、背面壁１１、上面壁１２及び左右両外側面壁１３で囲まれ、前面（正面）が開放された収納空間１４が形成されている。収納空間１４は、背面壁１１から前方へ突出した２つの仕切壁１５により、左右３つの収納スペース１６に区画されている。各収納スペース１６（収納空間１４）の前面はキャビネット本体１０の前方に開放された開口部１７となっている。また、各収納スペース１６の左右両内側面（外側面壁１３の内面と仕切壁１５の左右両側面）には、左右に対向する一対ずつのガイド溝１８が設けられている。
【００１５】
３枚の扉１９は、キャビネット本体１０の左右両外側面壁１３や仕切壁１５に取り付けられている。扉１９は、軸線を上下方向に向けた蝶番（図示省略）により揺動可能となっている。３枚の扉１９は、常には、マグネット（図示省略）の磁力により３つの収納スペース１６の開口部１７を個別に閉じた状態に保持されている。各扉１９は、開口部１７を閉じた位置から蝶番を支点としてキャビネット本体１０の前方（扉付きキャビネットＡの使用者に対して手前側）へ揺動変位することが可能である。扉１９が前方へ変位することにより、収納スペース１６の開口部１７が開放される。扉１９の前面には鏡２０が貼り付けられている。
【００１６】
各可動棚２１は、夫々、底板２２とトレイ２６（請求項に記載の可動支持部材）とを備えて構成されている。底板２２は、収納スペース１６の下端部を構成する。底板２２には、底板２２を上下に貫通する複数の水抜孔２３が形成されている。底板２２には、底板２２の左右両側縁部から上方へ延出した形態の左右一対のガイドアーム２４が取り付けられている。可動棚２１（底板２２）は、ガイドアーム２４をガイド溝１８に摺接させることにより、キャビネット本体１０に対して相対的に上下動し得るようになっている。可動棚２１が最上端に位置するときは、収納スペース１６の下端部が底板２２によって閉塞される。可動棚２１が最下端に位置するときは、底板２２の高さがキャビネット本体１０の下端より低くなる。
【００１７】
ガイド溝１８とガイドアーム２４には、可動棚２１が可動棚２１の自重によって下降するのを規制する下降規制手段（図示省略）が設けられている。下降規制手段としては、ガイド溝１８に設けた鋸歯状の凹凸部にガイドアーム２４の突起を弾性的に係止させる方法、ガイド溝１８とガイドアーム２４の摺接面に、摩擦係数の大きいシート（図示省略）を貼り付ける方法、ガイド溝１８とガイドアーム２４にマグネット（図示省略）を設ける方法などが考えられる。
【００１８】
底板２２の内部には、偏平な格納空間２５が形成されている。格納空間２５は、底板２２の前面において横長のスリット状に開口している。底板２２には、平板状をなすトレイ２６（請求項に記載の可動支持部材）が取り付けられている。トレイ２６には、その前端縁から下向きに突出した形態の指掛け部２７が形成されている。トレイ２６には、トレイ２６を上下方向に貫通する複数の水抜孔２８が形成されている。トレイ２６は、指掛け部２７以外の領域が格納空間２５内に収容された格納位置と、格納空間２５から前方へ突出した使用位置との間で、水平な姿勢を保ったままでスライド（平行移動）し得るようになっている。
【００１９】
トレイ２６の左右両側縁部には、左右一対の規制片２９が設けられている。トレイ２６が格納位置から前方へ引き出される過程では、規制片２９は、トレイ２６の上面から大きく突出せず、格納空間２５内に収まっている。トレイ２６が使用位置に到達すると、規制片２９は、上方へ変位してトレイ２６の上面から突出し、底板２２の前端面に対し接近して対向するように位置する。この状態では、トレイ２６を底板２２側へ押しても、規制片２９が底板２２に係止するので、トレイ２６は、格納位置へ戻ることを規制され、使用位置に保持される。
【００２０】
尚、トレイ２６が使用位置に到達したときに規制片２９をトレイ２６の上方へ突出させる手段としては、バネ（図示省略）によって規制片２９を常に上方へ付勢する方法や、底板２２の前面と規制面の後面に異極のマグネット（図示省略）を取り付ける方法がある。いずれの方法においても、トレイ２６を格納空間２５内に収納する際には、規制片２９を指で押し下げるようにすればよい。
【００２１】
次に、本実施例１の作用を説明する。  可動棚２１を最上端まで上昇させ、底板２２によって収納スペース１６の下端部を閉塞する状態では、底板２２とトレイ２６が扉１９の下端縁よりも下方に位置する。トレイ２６は、底板２２（収納空間１４）内に格納された格納位置と、底板２２の前方へ突出した使用位置との間で移動する際に水平に平行移動する。扉１９が開閉する際には、蝶番の鉛直方向の軸を中心として、一定の高さを保ったままで揺動する。したがって、トレイ２６を格納位置と使用位置との間で移動させる際には、扉１９がどのような位置にあっても、トレイ２６と扉１９の下端部が干渉することはない。
【００２２】
洗面時や化粧時に、ハンカチ、眼鏡２０、コンタクトレンズ等の物品を一時的に置いておきたい場合は、扉１９が閉じている状態のままで、指掛け部２７に指を引っかけ、底板２２内に格納されているトレイ２６を、前方（手前側）へスライドさせながら使用位置まで引き出せばよい。トレイ２６が使用位置へ引き出されたとき、トレイ２６の前端は、閉じた状態にある扉１９の前面（正面）よりも前方（使用者側）に位置する。つまり、トレイ２６の上面（載置面）は、その広範囲に亘り、閉じた状態の扉１９よりも前方に位置する。したがって、扉１９を閉じた状態にしておけば、引き出したトレイ２６の上面に上記物品をのせることができる。トレイ２６には、水抜孔２３が形成されているので、物品が濡れていても、トレイ２６の上面に水が溜まることはない。
【００２３】
また、トレイ２６の位置が高くて使い難い場合は、可動棚２１を下降させれば、トレイ２６の高さを使い易い位置まで下げることがでる。また、トレイ２６を低くすると、底板２２が、トレイ２６とほぼ同じ高さまで下がり、トレイ２６の上面と底板２２の上面が僅かな高低差だけで繋がった状態となるので、物品を載せておくスペースが奥行き方向に拡大する。
【００２４】
また、底板２２とトレイ２６の双方の水抜孔２３が形成されているので、可動棚２１を最上端まで上昇させて収納スペース１６の下端部を底板２２で閉塞した状態でも、収納スペース１６の内部と外部は、水抜孔２３を介して通気可能な状態となる。したがって、底板２２の上面に濡れた物品を載せて収納スペース１６内に収納しておいても、水抜孔２３を通過する空気の流れにより、濡れた物品を乾燥させることが可能である。
【００２５】
本実施例１の扉付きキャビネットＡは、内部が収納空間１４となっているキャビネット本体１０と、キャビネット本体１０に取り付けられ、収納空間１４の開口部１７を開閉する扉１９と、キャビネット本体１０に設けられ、キャビネット本体１０の外部へ水平に引き出すことが可能なトレイ２６とを備え、トレイ２６の移動経路が、開口部１７を閉じている状態の扉１９と非干渉の経路である。
【００２６】
トレイ２６を使用する際には、トレイ２６をキャビネット本体１０（底板２２）の外部へ水平に引き出せばよい。トレイ２６は、キャビネット本体１０の外部へ引き出される際に、扉１９と非干渉の経路で移動する。したがって、扉１９を閉じた状態のままでも、トレイ２６をから引き出し、小物等をトレイ２６によって一時的に支えて（載置して）おくことができる。また、トレイ２６の使用後は、扉１９を閉じた状態のままで、トレイ２６を底板２２内に格納することができる。また、収納空間１４の下端部が、キャビネット本体１０に対して相対的に昇降可能な底板２２で構成されて、底板２２にトレイ２６がスライド可能に取り付けられているので、可動支持部材の高さを調節することができる。
【００２７】
＜実施例２＞
次に、本発明を具体化した実施例２を図５〜図６を参照して説明する。本実施例２の扉付きキャビネットＢは、トレイ２６（請求項に記載の可動支持部材）を扉１９の前方へ引き出したときに、扉１９が前方へ開かないようにするためのストッパ３２を設けた点が、上記実施例１と相違する。その他の構成については上記実施例１と同じであるため、同じ構成については、同一符号を付し、構造、作用及び効果の説明は省略する。
【００２８】
キャビネット本体１０の前面における下端部には、扉１９の下端より低い位置から前方へ突出した形態のブラケット３０が形成されている。ブラケット３０には、ストッパ３２を支持するための支持軸３１が形成されている。支持軸３１の軸線は、左右方向（閉じた状態の扉１９の前面と平行で且つ水平な方向）であり、換言すると、トレイ２６（請求項に記載の可動支持部材）が格納位置と使用位置との間でスライドする方向と直交する方向である。支持軸３１は、底板２２よりも上方で、且つ扉１９の前面よりも後方に位置する。
【００２９】
ストッパ３２は、側面視形状が概ねＬ字形に屈曲した形状をなし、本体部３３と係止部３５とを有する単一部材である。本体部３３の基端部には軸受孔３４が形成され、軸受孔３４は支持軸３１に相対回転可能に嵌合されている。ストッパ３２は、支持軸３１を中心として揺動し得るようにブラケット３０（キャビネット本体１０）に取り付けられている。係止部３５は、本体部３３の先端部（本体部３３のうち軸受孔３４から離間した部位）から、ストッパ３２の揺動方向と概ね同方向へ片持ち状に突出した形態である。ストッパ３２の先端部のうち係止部３５が突出する側と反対側の部位は、摺接部３６となっている。
【００３０】
ストッパ３２の重心は本体部３３の先端部に位置している。トレイ２６が底板２２（格納空間内）に格納されている状態では、図５に示すように、ストッパ３２は、その自重により、本体部３３の摺接部３６をトレイ２６の前端縁に対し前方から当接させた状態となっている。このとき、係止部３５は、本体部３３の先端部から斜め上前方へ突出する向きとなるが、係止部３５の全体が、扉１９の下端より低い位置（扉１９と非干渉の位置）にある。したがって、扉１９を開閉したときに、扉１９が係止部３５（ストッパ３２）と干渉することはない。
【００３１】
図５の状態からトレイ２６を前方へ引き出すと、図６に示すように、トレイ２６の前端が本体部３３（ストッパ３２）を前方へ押すので、ストッパ３２は支持軸３１を中心として斜め上前方へ揺動する。そして、本体部３３の摺接部３６がトレイ２６の上面に載置されると、ストッパ３２の揺動が停止する。その後は、トレイ２６が前方へ引き出される過程で、摺接部３６がトレイ２６の上面に摺接し、ストッパ３２がトレイ２６に載置された状態に保たれる。
【００３２】
摺接部３６（ストッパ３２）がトレイ２６の上面に載置されると、係止部３５が、鉛直上向きとなり、扉１９の下端部の前面に対し接近して対向する状態又は当接する状態となるので、トレイ２６を引き出した状態では扉１９を開くことはできない。したがって、トレイ２６に載せた物品が、扉１９の開き動作によってトレイ２６から落下する、という虞がない。図６の状態から、トレイ２６を底板２２内に格納すると、ストッパ３２は、その自重によって図５に示す状態に戻るので、扉１９を開閉できることが可能となる。
【００３３】
本実施例２の扉付きキャビネットＢは、内部が収納空間（図示省略）となっているキャビネット本体１０と、キャビネット本体１０に取り付けられ、収納空間の開口部（図示省略）を開閉する扉１９と、キャビネット本体１０に設けられ、キャビネット本体１０の外部へ水平に引き出すことが可能なトレイ２６とを備え、トレイ２６の移動経路は、開口部を閉じている状態の扉１９と非干渉の経路である。トレイ２６を使用する際には、トレイ２６をキャビネット本体１０の外部へ水平に引き出せばよく、引き出す過程で、トレイ２６は扉１９と非干渉の経路で移動する。したがって、扉１９を閉じた状態のままでトレイ２６をキャビネット本体１０から引き出して使用することができる。
【００３４】
また、トレイ２６が扉１９の前方へ引き出されるようになっており、扉１９も前方へ変位することによって開くようになっている。そのため、トレイ２６に物品を載せた状態で、うっかり扉１９を開いてしまうと、トレイ２６に載せている物品が扉１９に押されてトレイ２６から落下してしまうことが懸念される。この点に鑑み、本実施例１の扉付きキャビネットＢでは、キャビネット本体１０に、トレイ２６が引き出された状態で扉１９の開き方向への変位を規制するストッパ３２を設けた。
【００３５】
この構成によれば、トレイ２６を前方へ引き出した状態では、扉１９が開くことがないので、トレイ２６に支持した物品が扉１９と干渉する虞はない。また、ストッパ３２は、トレイ２６が前方へ変位する動作と連動して扉１９の開きを規制する形態へ変位するようになっているので、トレイ２６を前方へ引き出した後は、ストッパ３２を変位させるための動作が不要となる。
【００３６】
＜他の実施例＞
本発明は上記記述及び図面によって説明した実施例に限定されるものではなく、例えば次のような実施例も本発明の技術的範囲に含まれる。
（１）上記実施例１，２では、トレイ（可動支持部材）がキャビネット本体から引き出されるときの移動方向は、扉の前面と略直角な方向（手前方向）であるが、トレイが引き出されるときの移動方向は、扉の前面と略平行な方向（側方）であってもよい。
（２）上記実施例１，２では、可動支持部材が複数の水抜孔を有するトレイで構成されているが、可動支持部材は、水抜孔を有しないトレイや、網棚等でもよい。
（３）上記実施例１，２では、可動支持部材（トレイ）が収納スペースの下端部を閉塞する底板に設けられているが、可動支持部材は、収納スペースの下端部を閉塞しない部材に設けられていてもよい。
（４）上記実施例１，２では、可動支持部材（トレイ）がキャビネット本体に対して昇降可能な部材（底板）に設けられているが、可動支持部材は、キャビネット本体を構成する部位（底板を含む）や、キャビネット本体に昇降不能に取り付けられた部材に設けられていてもよい。
（５）上記実施例１，２では、可動支持部材（トレイ）が物品を載置することによって支持する形態であるが、可動支持部材は物品を吊り下げることによって支持する形態であってもよい。
（６）上記実施例１，２では、底板が複数の水抜孔を有しているが、底板は、水抜孔を有しないものであってもよい。
（７）上記実施例２では、ストッパは、トレイ（可動支持部材）が前方へ変位する動作と連動して扉の開きを規制する形態へ変位するようになっているが、トレイを前方へ変位させた後に手動でストッパを変位させてもよい。
（８）上記実施例２では、ストッパが、トレイ（可動支持部材）で押し動かされることによって扉の開きを規制する形態へ変位するが、扉の開きを規制する形態へストッパを変位させる手段としては、バネ力や磁力を利用してもよい。
（９）上記実施例２では、ストッパがキャビネット本体に取り付けられているが、ストッパは、可動支持部材に取り付けてもよい。
【符号の説明】
【００３７】
Ａ，Ｂ…扉付きキャビネット
１０…キャビネット本体
１４…収納空間
１７…収納空間の開口部
１９…扉
２２…底板
２６…トレイ（可動支持部材）
３２…ストッパ
【図１】
2019176916.tif 000003
【図２】
2019176916.tif 000004
【図３】
2019176916.tif 000005
【図４】
2019176916.tif 000006
【図５】
2019176916.tif 000007
【図６】
2019176916.tif 000008